(57)【要約】      （修正有）【課題】強度的な問題がなく水槽の載置される左右方向の領域を調整可能な水槽台を提供する。【解決手段】観賞魚水槽を載置するための第１載置板１と、第１載置板に対して下方に配置される第２載置板２と、第１載置板および第２載置板を設置するため、左右に配置される脚部材３と、を備え、左右の脚部材は、前辺枠部３０、上辺枠部３１、下辺枠部３２、後辺枠部３３により四角形状の枠を構成し、前辺枠部と後辺枠部とを連結する第１補助枠部３４を上辺枠部の下部に配置し、前辺枠部と後辺枠部とを連結する第２補助枠部３５を、下辺枠部の上部に配置し、左右の第１補助枠部の上に第１載置板を載置させて結合する第１結合機構と、左右の第２補助枠部の上に第２載置板を載置させて結合する第２結合機構と、を備え、第１・第２結合機構による結合位置を調整可能にした。【選択図】図３
2019122542.tif 000002
【特許請求の範囲】
【請求項１】
観賞魚水槽を載置するための第１載置板と、
第１載置板に対して上方または下方に平行に配置される第２載置板と、
第１載置板および第２載置板を設置するため、左右にそれぞれ配置される脚部材と、を備えた水槽台であって、
前記左右の脚部材はそれぞれ、前辺枠部、上辺枠部、下辺枠部、後辺枠部により四角形状の枠を構成し、さらに、前辺枠部と後辺枠部とを連結する第１補助枠部を上辺枠部の下部に配置し、前辺枠部と後辺枠部とを連結する第２補助枠部を、下辺枠部の上部に配置して構成されており、
左右の第１補助枠部の上に第１載置板を載置させて両者を結合する第１結合機構と、
左右の第２補助枠部の上に第２載置板を載置させて両者を結合する第２結合機構と、を備え、
前記第１結合機構と第２結合機構による結合位置を調整可能にすることで、左右の脚部材の左右方向の間隔を調整可能にしたことを特徴とする水槽台。
【請求項２】
前記第１載置板及び第２載置板は木製であり、前記左右の脚部材は金属製であることを特徴とする請求項１に記載の水槽台。
【請求項３】
前記第１結合機構は、ネジとナットの組み合わせであることを特徴とする請求項１又は２に記載の水槽台。
【請求項４】
前記第２結合機構は、ネジとナットの組み合わせであることを特徴とする請求項１又は２に記載の水槽台。
【請求項５】
第１載置板と第２載置板の間に両者を連結する補強板を設けたことを特徴とする請求項１〜４のいずれか１項に記載の水槽台。
【発明の詳細な説明】
【技術分野】
【０００１】
本発明は、観賞魚水槽を載置するための第１載置板と、第１載置板に対して上方または下方に平行に配置される第２載置板と、第１載置板および第２載置板を設置するため、左右にそれぞれ配置される脚部材と、を備えた水槽台に関するものである。
【背景技術】
【０００２】
かかる水槽台として、下記特許文献１に開示される水槽台があり、複数の支脚の上端部に観賞魚水槽を設置可能な棚部材が設けられている。上棚枠は、平面視矩形の外周枠と、外周枠の四隅に垂直方向に沿って設けられる連結パイプと、前後に隣り合う連結パイプの上端間に補強材が取り付けられている。この構成により、上棚枠の上に水槽台を載置することができる。水槽台の左右両側に補強材が位置し、左右の補強材の間隔よりも小さな幅を有する水槽台を載置させることができる。
【先行技術文献】
【特許文献】
【０００３】
【特許文献１】特許第４４２２０１５号
【特許文献２】実公平３−５５３０９号公報
【発明の概要】
【発明が解決しようとする課題】
【０００４】
しかしながら、水槽台の幅は種々あるが、水槽台の両側と左右の補強材との距離は小さいほうが好ましい。例えば、地震の発生で生じた揺れで水槽台が左右に移動しようとした場合、移動が拘束されていたほうが、水槽台の落下などの不具合を未然に防止することができる。一方、水槽台の幅が変わるたびに、その幅に対応した水槽台を用意するのも煩雑なことである。
【０００５】
水槽台ではないが、左右の枠板の間隔を変更可能な万能ラックが特許文献２に開示されている。左右の幅を変えるために伸縮自在の一対の張架板が設けられている。一方の断面コの字の張架板に対してやや小さな断面コの字の張架板を挿入することで伸縮自在としている。
【０００６】
しかしながら、この構成を水槽台に適用することは難しい。一対の張架板を互いに挿入する構成は、それぞれの張架板が片持ち梁のように支持されるものであり、水槽のように重量のあるものを載置するには強度的に問題がある。
【０００７】
本発明は上記実情に鑑みてなされたものであり、その課題は、強度的な問題がなく水槽の載置される左右方向の領域を調整可能な水槽台を提供することである。
【課題を解決するための手段】
【０００８】
上記課題を解決するため本発明に係る水槽台は、
観賞魚水槽を載置するための第１載置板と、
第１載置板に対して上方または下方に平行に配置される第２載置板と、
第１載置板および第２載置板を設置するため、左右にそれぞれ配置される脚部材と、を備えた水槽台であって、
前記左右の脚部材はそれぞれ、前辺枠部、上辺枠部、下辺枠部、後辺枠部により四角形状の枠を構成し、さらに、前辺枠部と後辺枠部とを連結する第１補助枠部を上辺枠部の下部に配置し、前辺枠部と後辺枠部とを連結する第２補助枠部を、下辺枠部の上部に配置して構成されており、
左右の第１補助枠部の上に第１載置板を載置させて両者を結合する第１結合機構と、
左右の第２補助枠部の上に第２載置板を載置させて両者を結合する第２結合機構と、を備え、
前記第１結合機構と第２結合機構による結合位置を調整可能にすることで、左右の脚部材の左右方向の間隔を調整可能にしたことを特徴とするものである。
【０００９】
かかる構成による水槽台の作用・効果を説明する。左右の脚部材に第１載置板および第２載置板が載置される。脚部材は四角形状の枠を構成しており、上辺枠部が第１載置板の高さよりも高い位置に来る。つまり、左右の脚部材の上辺枠部の間に水槽が載置される。第１載置板は、脚部材の第１補助枠部の上に第１結合機構により結合され、第２載置板は、第２補助枠部の上に第２結合機構により結合される。この場合、結合位置を調整できるようになっており、これにより、水槽の左右方向の幅に対応した間隔になるように、脚部材を結合することができる。また、水槽が載置される第１載置板は、左右の脚部材により両端支持されるので、強度的に問題になることはない。その結果、強度的な問題がなく水槽の載置される左右方向の領域を調整可能な水槽台を提供することができる。
【００１０】
本発明に係る前記第１載置板及び第２載置板は木製であり、前記左右の脚部材は金属製であることが好ましい。かかる素材を用いることで、水槽台としての強度を十分に保持することができる。
【００１１】
本発明に係る前記第１結合機構は、ネジとナットの組み合わせであることが好ましい。かかる構成によれば、簡単な構成により左右方向の幅を調整することができる。
【００１２】
本発明に係る前記第２結合機構は、ネジとナットの組み合わせであることが好ましい。かかる構成によれば、簡単な構成により左右方向の幅を調整することができる。
【００１３】
本発明において第１載置板と第２載置板の間に両者を連結する補強板を設けることが好ましい。これにより、第１載置板と第２載置板を一体化させて、さらに強度を向上させることができる。
【図面の簡単な説明】
【００１４】
【図１】本実施形態にかかる水槽台の外観構成を示す斜視図
【図２】本実施形態にかかる水槽台の正面図
【図３】本実施形態にかかる水槽台の側面図
【図４】図２のＡ−Ａ断面図
【図５Ａ】水槽を載せた状態を示す図
【図５Ｂ】水槽を載せた状態を示す図
【図６】別実施形態にかかる水槽台の斜視図
【発明を実施するための形態】
【００１５】
本発明に係る水槽台の好適な実施形態を図面を用いて説明する。図１は、本実施形態にかかる水槽台の外観構成を示す斜視図である。図２は、同じく正面図であり、図３は、同じく側面図である。
【００１６】
図１に示すように、水槽台は第１載置板１、第２載置板２、左右に配置される一対の脚部材３により構成されている。図２は、観賞魚を鑑賞する前方からみた正面図である。また、前方から見て載置板の長手方向を左右方向と定義する。
【００１７】
第１載置板１は木製であり左右方向に延びた矩形を呈する。第２載置板２も同様に木製であり左右方向に延びた矩形を呈する。第１載置板１の上に水槽が載置される。第１載置板１と第２載置板２の間には、図２に示すように、補強板４が設けられている。補強板４も木製である。補強板４は、後方側に取り付けられる。
【００１８】
左右に設けられる脚部材３は、同じ形状であり共に金属製である。図３に示すように、脚部材３は、前辺枠部３０、上辺枠部３１、下辺枠部３２、後辺枠部３３により四角形状の枠を構成し、さらに、前辺枠部３０と後辺枠部３３とを連結する第１補助枠部３４を上辺枠部３１の下部に配置し、前辺枠部３０と後辺枠部３３とを連結する第２補助枠部３５を、下辺枠部３２の上部に配置して構成されている。第１補助枠部３４は上辺枠部３１に対して平行である。第２補助枠部３５は下辺枠部３２に対して平行である。
【００１９】
第１載置板１は、第１補助枠部３４の上に載置され、載置した状態で上辺枠部３１と第１載置板１の間には隙間が形成される。第２載置板２は、第２補助枠部３５の上に載置される。
【００２０】
図４は、図２のＡ−Ａ断面図である。図４には、第１載置板１の裏面側が示されている。第１載置板１と脚部材３とは、ボルトとナット（第１結合機構に相当）により結合される。第１載置板１の裏面には、位置５ａ，５ｂ，５ｃにナットが埋め込まれている。図４では、位置５ａにおいて、脚部材３と第１載置板１が結合されている。左右それぞれの位置５ａにおいて前後に２か所のナットが埋め込まれており、脚部材３の第１補助枠部３４の裏面側からボルトで締結する。他の位置５ｂ，５ｃに関しても同様である。
【００２１】
なお、図示はしないが、第２載置板２と脚部材３との結合も、同じくボルトとナット（第２結合機構に相当）により結合される。ナットが埋め込まれる位置も同じであり、第１載置板１と第２載置板２は同じ部材を用いることができる。
【００２２】
図５Ａと図５Ｂは、水槽Ｂを第１載置板１の上に載置した状態を示す図である。図５Ａは、位置５ａにおいて脚部材３を結合した状態で、幅の大きな水槽Ｂを載置することができる。図５Ｂは、位置５ｃにおいて脚部材３を結合した状態で、幅の小さな水槽Ｂを載置することができる。本実施形態では、３通りに一対の脚部材３の間隔を変える（調整する）ことができるが、何通りにするかは適宜決めることができる。
【００２３】
図５Ａ，図５Ｂに示すように、水槽Ｂの左右には、脚部材３の上辺枠部３１が位置しており、仮に、地震等で水槽Ｂが不用意に左右に移動したとしても上辺枠部３１で受け止めることができる。また、左右の脚部材３の左右方向の間隔は水槽Ｂの左右方向の長さに対応して調整できるので、水槽Ｂの不用意な移動が必要以上に大きくならないようにすることができる。
【００２４】
＜別実施形態＞
図６は、別実施形態にかかる水槽台の構成を示す。この実施形態では、第１載置板１の下方に板１Ａが配置されている。上側の第１載置板１と下側の板１Ａにより第１補助枠部３４をはさむように結合されている。
【００２５】
本実施形態では、補強板４を用いているが、補強板４はなくてもよい。補強板４を用いる場合、１か所のみに設けてもよいが、複数個所に設けてもよい。
【００２６】
本実施形態では、第１載置板１と第２載置板２の左右方向の長さは同じであるが、これを異ならせてもよい。
【００２７】
第１補助枠部３４と第２補助枠部３５を設置する高さは適宜決めることができる。
【００２８】
図６に示す別実施形態と同様に第２載置板２の下にもう１枚板を配置してもよい。また、第１載置板１の下方と第２載置板２の下方の両方に板を追加配置してもよい。
【００２９】
本実施形態では、水槽Ｂを載せる第１載置板１は第２載置板２の上に位置しているが、水槽Ｂを載せる第１載置板１が第２載置板２の下に位置してもよい。
【符号の説明】
【００３０】
Ｂ        水槽
１        第１載置板
２        第２載置板
３        脚部材
４        補強板
５ａ，５ｂ，５ｃ      位置
３０      前辺枠部
３１      上辺枠部
３２      下辺枠部
３３      後辺枠部
３４      第１補助枠部
３５      第２補助枠部
【図１】
2019122542.tif 000003
【図２】
2019122542.tif 000004
【図３】
2019122542.tif 000005
【図４】
2019122542.tif 000006
【図５Ａ】
2019122542.tif 000007
【図５Ｂ】
2019122542.tif 000008
【図６】
2019122542.tif 000009